(57)【要約】  【課題】  従来の音楽再生装置の構成では、同一の記録媒体に音声と楽曲とを同じビットレートで保存しなければならないため、記録媒体の容量を多く消費するという問題があった。  【解決手段】  音声と伴奏入りの音楽データ２０と、これよりビットレートを低くした音声のみの音声データ２１とを同一の記録媒体２に保存しておく。再生手段１０により音楽データを再生するのと同時にＦＳ変換手段１１により音声データ２１のビットレートを伸長することで音声を再生し、再生された音楽より再生された音声を減算手段１５により減算することにより、カラオケ用の楽曲データを再生する。音声は通常の音楽データやカラオケ用の楽曲データに比べて周波数帯域が狭いため、ビットレートを低くしても同レベルの音質を保つことが出来、カラオケ用のデータを記録するための記録媒体の容量を抑えられる。【選択図】    図１
2008203389.tif 000002
【特許請求の範囲】
【請求項１】
記録媒体に記録されている、音声と楽曲とを含んだ音楽のデータである音楽データを再生する再生手段と、
前記記録媒体に、さらに前記音楽データより低ビットレートで記録されている、前記音声のデータである音声データを伸長再生する伸長再生手段と、
前記再生手段より再生された音楽データより、前記伸長再生手段より伸長再生された音声データを減算し、楽曲のみのデータである楽曲データを出力する減算手段と、
を備えたことを特徴とする音楽再生装置。
【請求項２】
記録媒体に記録されている、Ｎ人(Ｎは２以上の整数)の音声と楽曲とを含んだ音楽のデータである音楽データを再生する再生手段と、
前記記録媒体に、さらに前記音楽データより低ビットレートで記録されている、前記Ｎ人の音声の音声データを伸長再生するＮ個の伸長再生手段と、
前記再生手段より再生された音楽データより、前記Ｎ個の伸長再生手段より伸長再生されたＮ人の音声データを減算し、楽曲のみのデータである楽曲データを出力する減算手段と、
を備えたことを特徴とする音楽再生装置。
【請求項３】
請求項１または２に記載の音楽再生装置において、
前記音声データは、そのサンプリング周波数が前記音楽データのサンプリング周波数よりも低い周波数で前記記録媒体に記録されており、
前記伸長再生手段は、前記音声データのサンプリング周波数を前記音楽データのサンプリング周波数に変換することにより前記音声データを伸長再生する、
ことを特徴とする音楽再生装置。
【請求項４】
請求項１または２に記載の音楽再生装置において、
前記音声データは、時間軸領域の音声データが周波数帯域に変換されて圧縮されて前記記録媒体に記録されており、
前記伸長再生手段は、圧縮された前記音声データを時間軸領域の音声データに変換することにより前記音声データを伸長再生する、
ことを特徴とする音楽再生装置。
【請求項５】
音声と楽曲とを含んだ音楽のデータである音楽データを所定のビットレートで記録してなり、
さらに、
前記音声のデータである音声データを、前記音楽データよりも低ビットレートで記録してなる、
ことを特徴とする記録媒体。
【発明の詳細な説明】
【技術分野】
【０００１】
本発明は、音楽再生装置および音楽記録媒体に関するものであり、特に音声なしの楽曲（伴奏）のみの音を再生する、カラオケ用途に用いる音楽再生装置および記録媒体の改良を図ったものに関する。
【背景技術】
【０００２】
従来のカラオケ用途に用いる音楽再生装置は、伴奏付きの音楽のデータである音楽データからこれに含まれる音声のデータである音声データ（以下、音声と称す）をキャンセルするために、その左チャンネル（以下、Lchと称す）データと右チャンネル（以下、Rchと称す）データの同相信号を検出し、その同相信号を前記Lch／Rchデータから減算することで音声をキャンセルするようにしていた(例えば、特許文献１参照)。
【０００３】
しかしながら、この同相信号には音声データだけではなく、音声以外の音楽（伴奏）データである楽曲データ(以下、楽曲と称す)も含む場合があり、また、ボーカルが複数名存在する場合などでは、音声が同相信号以外にも存在する場合があった。
【０００４】
そのため、前述の従来の音楽再生装置では、音声を十分にキャンセルすることが出来なかったり、楽曲もキャンセルされてしまうことがある、という問題があった。
【０００５】
そこで、従来から、通常の音楽(楽曲と音声)のデータだけでなく、これと同じ音楽の楽曲のみのデータを、通常の音楽データと合わせて同一の記録媒体（例えばＣＤ）に保存し、カラオケに用いる場合には、楽曲のみのデータを再生する方法が取られてきた。
【０００６】
このような、従来の音楽再生装置の一例を図１０に示す。
従来の音楽再生装置は、各曲ごとに、音声と楽曲とを含む音楽データ２０と、音声なしの楽曲データ２５とが記録された記録媒体２から、音楽データ２０および楽曲データ２５のいずれか一方を選択出力するための選択手段３１と、この選択手段３１により選択されたデータを再生する再生手段１０と、使用者の音声を入力するためのマイク（音声入力手段）３と、この音声入力手段３より入力された音声を加算手段１６に出力するか否かを切り替えるスイッチ手段３２と、再生手段１０から出力される楽曲とスイッチ手段３２を介して音声入力手段３により入力された音声とを加算する加算手段１６と、加算手段１６により使用者の音声が加算された楽曲を音として出力する音楽出力手段４とから構成される。
【０００７】
次に、動作について説明する。
記録媒体２には、音楽データ２０とこの音楽の伴奏部分（楽曲）だけを収録した楽曲データ２５とが記録されている。
【０００８】
記録媒体２に保存されている音楽データ２０もしくは楽曲データ２５は、そのいずれか一方が選択手段３１により選択され、その選択されたデータが再生手段１０により再生される。
【０００９】
選択手段３１が音楽データ２０を選択した場合、スイッチ手段３２はオフにされ、再生手段１０から出力された信号が加算手段１６により加算されることなく音楽出力手段４に出力される。
【００１０】
また、選択手段３１が楽曲データ２５を選択した場合、スイッチ手段３２はオンにされ、再生手段１０から出力された信号と音声入力手段３から入力された信号とが加算手段１６により加算され、音楽出力手段４に加算された信号が出力される。
【００１１】
このため、この従来のシステムでは、音楽のみを聞く時は、音楽データ２０を選択して音楽再生装置１に入力することにより、音楽出力手段４から通常の音楽を聞くことが出来る。
【００１２】
また、カラオケを行う場合には、楽曲データ２５を選択し、音声入力手段３から音声を入力することで、音楽出力手段４から、使用者の音声と楽曲とがミキシングされた音楽を聞くことが出来る。
【特許文献１】特開平７−９２９８５号公報（第４図）
【発明の開示】
【発明が解決しようとする課題】
【００１３】
従来の音楽再生装置は以上のように構成されており、音楽データと楽曲データとで同じ周波数帯域（〜２０ｋＨｚ）を必要とする。このため、楽曲データ中には音声データは含まれないにもかかわらず音楽データと同じビットレートのデータを用意する必要がある。従って、楽曲データを記録するための容量も音楽データと同じだけ必要とし、記録媒体に多数の曲を保存することが出来ない。
【００１４】
この発明は、上記のような従来のものの問題点を解決するためになされたもので、音楽データとともにそのカラオケ用のデータを同一の媒体に記録した記録媒体を再生する際、その記録媒体の記録容量を削減でき、同一容量の記録媒体の場合、従来よりも多くの曲を収録することが可能な記録媒体を再生できる音楽再生装置および記録媒体を提供することを目的とする。
【課題を解決するための手段】
【００１５】
本発明の請求項１に係る音楽再生装置は、記録媒体に記録されている、音声と楽曲とを含んだ音楽のデータである音楽データを再生する再生手段と、前記記録媒体に、さらに前記音楽データより低ビットレートで記録されている、前記音声のデータである音声データを伸長再生する伸長再生手段と、前記再生手段より再生された音楽データより、前記伸長再生手段より伸長再生された音声データを減算し、楽曲のみのデータである楽曲データを出力する減算手段と、を備えたことを特徴とする。
【００１６】
このことにより、音楽データの再生と同時にビットレートを低くした音声データを伸長し音楽データから減算することで、楽曲のみのデータを再生することが出来る。
【００１７】
また、本発明の請求項２に係る音楽再生装置は、記録媒体に記録されている、Ｎ人（Ｎは２以上の整数）の音声と楽曲とを含んだ音楽のデータである音楽データを再生する再生手段と、前記記録媒体に、さらに前記音楽データより低ビットレートで記録されている、前記Ｎ人の音声の音声データを伸長再生するＮ個の伸長再生手段と、前記再生手段より再生された音楽データより、前記Ｎ個の伸長再生手段より伸長再生されたＮ人の音声データを減算し、楽曲のみのデータである楽曲データを出力する減算手段と、を備えたことを特徴とする。
【００１８】
このことにより、音楽データの再生と同時にそれぞれビットレートを低くした複数の音声データを伸長し音楽データから減算することで、音楽に複数の歌手の音声が含まれる場合でもその楽曲のみのデータを再生することが出来る。
【００１９】
また、本発明の請求項３に係る音楽再生装置は、請求項１または２に記載の音楽再生装置において、前記音声データは、そのサンプリング周波数が前記音楽データのサンプリング周波数よりも低い周波数で前記記録媒体に記録されており、前記伸長再生手段は、前記音声データのサンプリング周波数を前記音楽データのサンプリング周波数に変換することにより前記音声データを伸長再生する、ことを特徴とする。
【００２０】
このことにより、請求項１または２の音声再生装置において楽曲データの生成に必要な音声データを得ることが可能となる。
【００２１】
また、本発明の請求項４に係る音楽再生装置は、請求項１または２に記載の音楽再生装置において、前記音声データは、時間軸領域の音声データが周波数帯域に変換されて圧縮されて前記記録媒体に記録されており、前記伸長再生手段は、圧縮された前記音声データを時間軸領域の音声データに変換することにより前記音声データを伸長再生する、ことを特徴とする。
【００２２】
このことにより、請求項１または２の音声再生装置において楽曲データの生成に必要な音声データを得ることが可能となる。
【００２３】
さらに、本発明の請求項５に係る記録媒体は、音声と楽曲とを含んだ音楽のデータである音楽データを所定のビットレートで記録してなり、さらに、前記音声のデータである音声データを、前記音楽データよりも低ビットレートで記録してなる、ことを特徴とする。
【００２４】
このことにより、カラオケ用のデータの容量を減少でき、多数の曲を記録することが可能となる。
【発明の効果】
【００２５】
従来技術では、音楽データと同じビットレートで保存する必要があった楽曲データを記録媒体に保存するのに対して、本発明ではより低ビットレートで保存できる音声データを用いて楽曲を再生することが出来るので、同一の記録媒体により多くの曲を保存することが出来る。
【発明を実施するための最良の形態】
【００２６】
本発明は次のような原理により音楽データとカラオケ用のデータとを記録した記録媒体の記録容量を削減することを可能としている。
【００２７】
即ち、音声データの周波数帯域は約０〜４ｋＨｚである。このため、音声データのみの場合は音質を保ったまま、サンプリング周波数を低くしたり、音声データを周波数軸領域の信号に変換した後、音として人に聞こえない周波数部分（主に高域）のデータを間引く、などの処理を行うことにより、そのビットレートを低くすることが出来る。
【００２８】
従って、カラオケ用のデータとして従来の楽曲データに代えて、ビットレートを低減した音声データを記録することで記録媒体の記録容量を減少できるとともに、音楽再生装置の側で、この再生した音楽データから再生した音声データを減算することで、楽曲データを生成でき、カラオケを楽しむことが可能となる。
【００２９】
以下、本発明にかかる音楽再生装置の実施の形態を、図面を用いて詳細に説明する。
【００３０】
(実施の形態１)
図１は、本発明の実施の形態１にかかる音楽再生装置の構成を示すブロック図である。
図１において、本発明の実施の形態１の音楽再生装置は、音声と楽曲とを含む音楽データ２０と、この音楽データの音声部分であり、この音楽データに比べて低いＦＳ（サンプリング周波数）でサンプリングされた音声データ２１とが記録された記録媒体２から、音楽データ２０のみ、あるいは音楽データ２０および音声データ２１の両方、のいずれを取り出すかを選択する選択手段３１ａ，３１ｂと、この選択手段３１ａにより選択された音楽データ２０を再生する再生手段１０と、選択手段３１ｂにより選択された音声データ２１を音楽データと同様のＦＳとなるように変換することでその再生を行うＦＳ変換手段１１（伸長再生手段）と、再生手段１０の出力からＦＳ変換手段１１の出力を減算する減算手段１５と、使用者の音声を入力するためのマイク（音声入力手段）３と、この音声入力手段３より入力された音声を加算手段１６に出力するか否かを切り替えるスイッチ手段３２と、減算手段１５から出力される楽曲とスイッチ手段３２を介して音声入力手段３により入力された音声とを加算する加算手段１６と、加算手段１６により使用者の音声が加算された楽曲を音として出力する音楽出力手段４とから構成される。
【００３１】
次に、動作について説明する。
記録媒体２には、音楽データ２０と、これより低いサンプリング周波数でサンプリングされた音声データ２１とが記録されている。
【００３２】
この音声データ２１は次のようにして生成される。即ち、音楽データ２０はスタジオで楽曲と音声とをミキシングして生成するので、音楽データ２０用の音声を取得し音楽データを生成する際に、これと平行して、音楽データ２０よりも低いサンプリング周波数で音声を取得し音声データ２１を生成する。
【００３３】
記録媒体２に保存されている音楽データ２０のみ、あるいは音楽データ２０および音声データ２１の両者、のいずれかが選択手段３１ａおよび３１ｂにより選択される。
【００３４】
音楽データ２０のみが選択された場合は通常の音楽（音声＋楽曲）を再生する場合であり、選択された音楽データ２０が再生手段１０により再生される。この時、ＦＳ変換手段１１の出力は存在しないので、減算手段１５による減算は行われない。また、スイッチ手段３２もオフされるので、減算手段１５を通過した音声は、音声入力手段３の出力信号が加算されることなく音楽出力手段４に出力される。従って、音声出力手段４は音楽データの再生音を発生する。
【００３５】
一方、音楽データ２０および音声データ２１の両者が選択された場合は、カラオケの楽曲のみを再生する場合であり、音楽データ２０が再生されるとともに、ＦＳ変換手段１１により音声データ２１が音楽データ２０と同じサンプリング周波数に変換されることで音声データ２１の伸長が行われる。
【００３６】
再生手段１０から出力された音楽データの再生信号は、減算手段１５により、ＦＳ変換手段１１から出力された音声データの再生信号が減算され、楽曲データのみの再生信号となる。
【００３７】
減算手段１５から出力された、楽曲のみの再生信号は、この時、スイッチ手段３２がオンされるので、音声入力手段３から入力された使用者の音声信号と加算手段１６により加算され、音楽出力手段４に出力される。
【００３８】
このように構成することにより、音楽データから音声データを取り除くことで得られた楽曲データに、音声入力手段３から入力した音声データを加えて、音楽出力手段４から出力させることが出来る。従って、音楽出力手段４は、使用者の音声（歌）が加わった楽曲の再生音を発生し、カラオケを楽しむことができる。
【００３９】
図２は、上述のような原理に基づき、同一の媒体に音楽データとそのカラオケ用のデータとを記録した記録媒体の記録容量を削減できる、本実施の形態１による音楽再生装置のより詳細な構成を示す。
【００４０】
図において、２００は音楽データ２００ａと音声データ２００ｂとが記録された記録媒体であるＣＤ（コンパクトディスク）、２０１はこのＣＤ２００に記録された情報を再生するピックアップ、２０２はピックアップ２０１により再生されたアナログ高周波信号を処理するＦＥ（フロントエンド）処理部、２０３はＤＲＡＭ２０４へのインタフェースであるメモリＩＦ（インタフェース）、２０４ａはＤＲＡＭ２０４内の音楽データを記憶している音楽データ記録領域、２０４ｂはＤＲＡＭ２０４内の音声データを記憶している音声データ記録領域、２０５は使用者の音声を入力するためのマイク、２０６はマイク２０５からのアナログ音声信号を音声データに変換するＡ／Ｄ変換手段、２０７はメモリＩＦ２０３を介してＤＲＡＭ２０４より出力された音楽データ，音声データおよびＡ／Ｄ変換手段２０６により出力された音声データを処理する信号処理部（再生手段，伸長再生手段，減算手段，加算手段）、２０８は信号処理部２０７が出力するデータをアナログ音声信号に変換するＤ／Ａ変換手段、２０９はＤ／Ａ変換手段が出力するアナログ音声信号を音として発するスピーカである。
【００４１】
次に動作について説明する。
ＣＤ２００に記録されている音楽データ２００ａおよび音声データ２００ｂはピックアップ２０１により読み出される。これらのデータはＣＤ２００が高速回転するためアナログ高周波信号となっており、ＦＥ処理部２０２によりデジタル信号に変換するための前処理が行われる。このデジタル信号はメモリＩＦ２０３を介していったんＤＲＡＭ２０４の音楽データ記憶領域２０４ａおよび音声データ記憶領域２０４ｂにそれぞれ記憶される。
【００４２】
次に、メモリＩＦ２０３を介して読み出された音楽データおよび音声データは信号処理部２０７により、図１の再生手段１０，ＦＳ変換手段１１，減算手段１５，加算手段１６に相当する処理が行われる。
【００４３】
即ち、音楽データ記憶領域２０４ａから読み出された音楽データの再生、音声データ記憶領域２０４ｂから読み出された音声データのサンプリング周波数変換、前記再生された音楽データから前記サンプリング周波数変換された音声データの減算、この減算により生成された楽曲データとＡ／Ｄ変換手段２０６によりデジタル信号に変換されたマイク２０５音声との加算とが信号処理部２０７により行われる。この信号処理部２０７より出力された、楽曲データとマイク音声データとが加算されたデータがＤ／Ａ変換手段２０８によりアナログ信号に変換され、スピーカ２０９により伴奏を伴ったカラオケ音声が音として出力される。
【００４４】
このような処理を可能にするために、ＣＤ２００からは倍速でデータを読み出し、ＤＲＡＭ２０４にデータを保存する。信号処理部２０７はハードウエアで実現してもよいし、ＤＳＰにより信号処理部２０７を構成し、ソフトウエアで上述のような機能を実現してもよい。また、カラオケとして使用しない場合は、音楽データのみを再生すればよい。その際、ＣＤは倍速で再生しなくてもよい。
【００４５】
図３は、本実施の形態１による音声再生装置の一例としてのＣＤプレーヤの全体構成を示す。
図において、３０１は標準のサンプリング周波数で収録された音楽データが記録された音楽トラックと、これより低いサンプリング周波数で収録された音声データが記録された音声トラックとを有するＣＤ（記録媒体）、３０２はこのＣＤ３０１を回転させるスピンドルモータ、３０３はＣＤ３０１に記録された音楽トラック，音声トラックの情報を読み取る光ピックアップ、３０４は光ピックアップ３０３により得られた高周波（ＲＦ）信号を増幅しデジタル信号に変換するＲＦアンプ、３０５は光ピックアップ３０３をＣＤ３０１の半径方向に移動させるトラバースモータ、３０８は光ピックアップ３０３のトラッキング制御およびトラバースモータ３０５のトラバース制御を行うサーボ回路、３０９はスピンドルモータ３０２を駆動するモータドライバ、３１０はＲＦアンプ３０４から出力されたＣＤ３０１の記録情報を一時的に記憶するＤＲＡＭ、３１１はＲＦアンプ３０４から出力されたデジタル信号のＤＲＡＭ３１０への書き込み、読み出し制御を行うメモリコントローラであり、ＤＲＡＭ３１０から情報を読み出す読出制御回路３１０ａと、ＤＲＡＭ３１０に情報を書き込む書込制御回路３１０ｂと、これら読出制御回路３１０ａおよび書込制御回路３１０ｂを制御する制御回路３１１ｃとからなる。３１４はＣＤプレーヤを操作するための操作パネル、３１５はＣＤプレーヤ全体を操作パネル３１４の操作に応じて制御するシステムコントローラ、３１６はメモリコントローラ３１１より読み出されたデータにデジタル信号処理を行うデジタル信号処理回路（再生手段，伸長再生手段，減算手段，加算手段）、３１７はＣＤ３０１がＣＬＶ（線速度一定）で回転するようにモータドライバ３０９を制御するＣＬＶ回路、３１８は使用者の音声を入力するマイク、３１９はマイク３１８からの音声信号をデジタル信号に変換しデジタル信号処理回路３１６に出力するＡ／Ｄ変換回路、３２３はメモリコントローラ３１１によりＤＲＡＭ３１０から読み出されたデータをアナログ信号に変換し、図示しないスピーカ等に出力するＤ／Ａコンバータである。
【００４６】
次に、動作について説明する。
まず、使用者が操作パネル３１４の電源ボタンを操作することで、該操作パネルにはＣＤ３０１に収録されている音楽トラックおよび音声トラック（のリスト）がその表示面に表示される。
【００４７】
この時、音声のみが入った音声トラックについてはこれをそのまま「音声のみ」と表示してもよいが、この音声トラックはカラオケ用であるので、例えば、図４に示すように、トラック１．，３．，５．，・・・が音楽Ａ，Ｂ，Ｃ（但し、Ａ，Ｂ，Ｃは音楽のタイトル）であるとすると、これに対応する音声のみのトラック２．，４．，６．，・・・はそれぞれ、Ａのカラオケ，Ｂのカラオケ，Ｃのカラオケ，・・・と表示してもよい。
【００４８】
次に、カーソルボタン等の操作により例えばトラック２．のＡのカラオケが選択され、再生ボタンが押されたとすると、これはトラック１，２を見かけ上同時に再生することをＣＤプレーヤに指示したことになる。この再生が指示されることにより、システムコントローラ３１５によりサーボ回路３０８が制御され、各種サーボ動作が行われる。即ち、サーボ回路３０８により、光ピックアップ３０３が目的のトラック１，２に交互にジャンプするようトラバースモータ３０５および光ピックアップ３０３が制御される。これと同時に、スピンドルモータ３０２によりＣＤ３０１が倍速、例えば標準の再生状態の２倍の回転数で回転される。
【００４９】
このとき、光ピックアップ３０３，ＲＦアンプ３０４においても標準状態の２倍の速度で動作が行われ、例えば図５に示すように、標準状態の２倍の速度でトラック１のデータ（例えば１フレーム分）が読み出され、再生されたデータがＤＲＡＭ３１０に書き込まれる。その後、標準状態の２倍の速度でトラック２のデータ（例えば１フレーム分）が読み出され、再生されたデータがＤＲＡＭ３１０に書き込まれ、トラック１，２のデータがＤＲＡＭ３１０内で揃う。その後、トラック１の音楽データおよびトラック２の音声データがＤＲＡＭ３１０より読み出され、トラック１の音楽データの再生処理ならびにトラック２の音声データの伸長処理がデジタル信号処理回路３１６により行われる。また、この信号処理がなされた音楽データから信号処理がなされた音声データを減算し、楽曲データ（例えば１フレーム分）を生成し、これにさらにＡ／Ｄ変換器３１９により得られた、マイク３１８の音声データを加算する処理もデジタル信号処理回路３１６により実行される。デジタル信号処理回路３１６から出力される、マイク音声が重畳した楽曲データはＤ／Ａ変換器３２３によりアナログ信号に変換される。これら一連の処理が各フレーム毎に繰り返されることにより、図示しないスピーカより伴奏を伴った使用者の歌が音として発せられる。
【００５０】
また、図６の左側に示すように、ＣＤには、カラオケ用のデータとして圧縮した音声データを記録すればよいので、図６の右側に示す従来のＣＤのように、音声と楽曲とを記録した音楽データと同じビットレートで楽曲データを記録したものよりも、１曲あたりの容量が少なくて済み、同じ容量のＣＤであれば、より多くの曲を収録できる。
【００５１】
このように、本実施の形態１によれば、トラック１の音楽データ、およびこの音楽データより低いサンプリング周波数で収録されたトラック２の音声データ、を倍速で読み出し高速に信号処理を行い、再生された音楽データから再生された音声データを減算する処理を行って楽曲データを得て、これにマイクからの音声データを加算する処理を、通常の音声トラックの音声データの読み出しおよびその信号処理と同じ時間内で終了するように実行することで、従来技術では、音楽データと同じビットレートで楽曲データを記録媒体に保存する必要があったのに対し、カラオケ用データである音声データ２１については、音楽データ２０より小容量で記録でき、このようにして記録容量の削減を図った記録媒体を再生し、カラオケを楽しむことができる。
【００５２】
また、カラオケ用データとして低ビットレートの音声データを記録すればよいので、同じ容量の記録媒体であればより多くの曲を収録，保存できる。
【００５３】
なお、記録媒体２は、ＣＤやＤＶＤなどの光ディスクやＨＤＤなどの磁気ディスク、ＳＤメモリやＵＳＢメモリのような半導体メモリなどで構成する事が出来るが、これ以外の記憶媒体でも同様に実現する事が出来る。
【００５４】
(実施の形態２)
図７は、本発明の実施の形態２にかかる音楽再生装置の構成を示すブロック図である。
図７において、本発明の実施の形態２の音楽再生装置は、音声と楽曲とを含む音楽データ２０と、音楽の音声が周波数軸領域に変換され、不要周波数成分を除去することにより圧縮された音声データ２２とが記録された記録媒体２から、音楽データ２０のみ、あるいは音楽データ２０および音声データ２２の両方、のいずれを取り出すかを選択する選択手段３１ａ，３１ｂと、選択手段３１ａにより選択された音楽データ２０を再生する再生手段１０と、選択手段３１ｂにより選択された音声データ２２を時間軸領域のデータに変換することでその再生を行う周波数時間軸変換手段（伸長再生手段）１２と、再生手段１０の出力から周波数時間軸変換手段１２の出力を減算する減算手段１５と、使用者の音声を入力するための音声入力手段３と、この音声入力手段３より入力された音声を加算手段１６に出力するか否かを切り替えるスイッチ手段３２と、減算手段１５から出力される楽曲とスイッチ手段３２を介して音声入力手段３により入力された音声とを加算する加算手段１６と、加算手段１６により使用者の音声が加算された楽曲を音として出力する音楽出力手段４とから構成される。
【００５５】
即ち、実施の形態１ではカラオケ用のデータとして低サンプリング周波数で記録した音声データ２１を記録媒体２に記録していたが、この実施の形態２では、音声信号を周波数軸領域に変換し、信号の存在しない部分についてはこれをカットすることで情報を圧縮した音声データ（例えば、ｍｐ３等）を用いている。また、これに対応して、実施の形態１のＦＳ変換手段に代えて周波数時間軸変換手段を用いている点が相違するのみである。
【００５６】
次に、動作について説明する。
記録媒体２に保存されている音楽データ２０のみ、あるいは音楽データ２０および音声データ２２の両者、のいずれかが選択手段３１ａおよび３１ｂにより選択される。
【００５７】
音楽データ２０のみが選択された場合は通常の音楽（音声＋楽曲）を再生する場合であり、選択された音楽データ２０が再生手段１０により再生される。この場合、周波数時間軸変換手段１２の出力は存在しないので、減算手段１５による減算は行われない。また、スイッチ手段３２もオフとなるので、減算手段１５を通過した音声は、音声入力手段３の出力信号が加算されることなく音楽出力手段４に出力される。
【００５８】
一方、音楽データ２０および音声データ２２の両者が選択された場合は、楽曲のみを再生する場合であり、音楽データ２０が再生されるとともに、周波数時間軸変換手段１２により音声データ２２が音楽データ２０と同じ時間軸領域のデータに変換されることで音声データ２２の再生が行われる。
【００５９】
再生手段１０から出力された音楽データの再生信号は、減算手段１５により、周波数時間軸変換手段１２から出力された音声データの再生信号が減算され、楽曲データのみの再生信号となる。
【００６０】
減算手段１５から出力された、楽曲のみの再生信号は、スイッチ手段３２がオンとなるので、音声入力手段３から入力された使用者の音声信号と加算手段１６により加算され、音楽出力手段４に出力される。
【００６１】
このように構成することにより、音楽データから音声データを取り除くことで得られた楽曲データに、音声入力手段３から入力した音声データを加えて、音楽出力手段４から出力させることが出来る。
【００６２】
なお、この実施の形態２が実施の形態１と異なるのは、ＦＳ変換の代わりに周波数時間軸変換を行うようにした点のみであるので、より詳細な構成およびＣＤプレーヤの全体構成については説明を省略する。
【００６３】
このように、本実施の形態２によれば、音楽データ、および周波数軸領域に変換され人に聞こえない周波数成分を除去することで圧縮された音声データ、を倍速で読み出し高速に信号処理を行い、再生された音楽データから再生された音声データを減算する処理を行って楽曲データを得て、これにマイクからの音声データを加算する処理を、通常の音声トラックの音声データの読み出しおよびその信号処理と同じ時間内で終了するように実行することで、従来技術では、音楽データと同じビットレートで楽曲データを記録媒体に保存する必要があったのに対し、カラオケ用データである音声データ２２については、音楽データ２０より小容量で記録でき、このようにして記録容量の削減を図った記録媒体を再生し、カラオケを楽しむことができる。
【００６４】
また、カラオケ用データとして低ビットレートの音声データを記録すればよいので、同じ容量の記録媒体であればより多くの曲を収録，保存できる。
【００６５】
なお、記録媒体２は、ＣＤやＤＶＤなどの光ディスクやＨＤＤなどの磁気ディスク、ＳＤやＵＳＢメモリのような半導体メモリなどで構成する事が出来るが、これ以外の記憶媒体でも同様に実現する事が出来る。
【００６６】
(実施の形態３)
図８は、本発明の実施の形態３にかかる音楽再生装置の構成を示すブロック図である。
図８において、本発明の実施の形態３の音楽再生装置は、音声と楽曲とを含む音楽データ２０と、音楽データに比べて低いＦＳ（サンプリング周波数）でサンプリングされた音声データ２３ａ，２３ｂ，・・・とが記録された記録媒体２から、音楽データ２０のみ、あるいは音楽データ２０および音声データ２３ａ，２３ｂ，・・・の全て、あるいは音楽データ２０および一部の音声データ２３ａ，２３ｂ，・・・、のいずれを取り出すかを選択する選択手段３１ａ，３１ｂ，３１ｃ，・・・と、選択手段３１ａにより選択された音楽データ２０を再生する再生手段１０と、選択手段３１ｂ，３１ｃ，・・・により選択された音声データ２３ａ，２３ｂ，・・・を音楽データと同様のＦＳとなるように変換することでその再生を行うＦＳ変換手段１３ａ，１３ｂ，・・・と、再生手段１０の出力からＦＳ変換手段１３ａ，１３ｂ，・・・のワイヤードＯＲ出力を減算する減算手段１５と、使用者の音声を入力するための音声入力手段３と、この音声入力手段３より入力された音声を加算手段１６に出力するか否かを切り替えるスイッチ手段３２と、減算手段１５から出力される楽曲とスイッチ手段３２を介して音声入力手段３により入力された音声とを加算する加算手段１６と、加算手段１６により使用者の音声が加算された楽曲を音として出力する音楽出力手段４とから構成される。
【００６７】
次に動作について説明する。
記録媒体２には、音楽データ２０と第１の音声データ２３ａ，第２の音声データ２３ｂ，・・・ が記録されている。
【００６８】
記録媒体２に保存されている音楽データ２０のみ、あるいは音楽データ２０および音声データ２３ａ，２３ｂ，・・・、の全て、あるいは音楽データ２０および一部の音声データ２３ａ，２３ｂ，・・・のいずれかが選択手段３１ａおよび３１ｂ，３１ｃ，・・・により選択される。
【００６９】
音楽データ２０のみが選択された場合は通常の音楽（音声＋楽曲）を再生する場合であり、選択された音楽データ２０が再生手段１０により再生される。この場合、ＦＳ変換手段１３ａ，１３ｂ，・・・の出力は存在しないので、減算手段１５による減算は行われない。また、スイッチ手段３２もオフとなるので、減算手段１５を通過した音声は、音声入力手段３の出力信号が加算されることなく音楽出力手段４に出力される。
【００７０】
一方、音楽データ２０および音声データ２３ａ，２３ｂ，・・・の全てが選択された場合は、楽曲のみを再生する場合であり、音楽データ２０が再生されるとともに、ＦＳ変換手段１３ａ，１３ｂ，・・・により音声データ２３ａ，２３ｂ，・・・が音楽データ２０と同じサンプリング周波数に変換されることで音声データ２３ａ，２３ｂ，・・・の全ての伸長が行われる。
【００７１】
これらＦＳ変換手段１３ａ，１３ｂ，・・・の出力はワイヤードＯＲ接続されているので、減算手段１５により再生された音楽データからこの音楽に含まれる全ての歌手の音声データが減算され、楽曲のみの再生信号となる。
【００７２】
減算手段１５から出力された、楽曲のみの再生信号は、スイッチ手段３２がオンとなるので、音声入力手段３から入力された使用者の音声信号と加算手段１６により加算され、音楽出力手段４に出力される。
【００７３】
このように構成することにより、複数名の歌手（例えば歌手Ｘ，歌手Ｙ，歌手Ｚの３名）が参加している音楽の音楽データから複数名の音声データ全てを取り除くことで得られた楽曲に、音声入力手段３から入力した使用者の音声を加えて、音楽出力手段４から出力させることが出来る。
【００７４】
また、使用者が楽曲および特定の歌手（例えば上記３名の歌手中の歌手Ｙのみ）の音声をバックに歌いたい場合は、選択手段３１ｂ，３１ｃ，・・・のうち特定の歌手の音声に対応する選択手段のみをオフにしそれ以外の音声に対応する選択手段を全てオンにすることで、複数名の歌手が参加している音楽データから、特定の歌手以外の全ての歌手（歌手Ｘ，歌手Ｚの２名）の音声データが除去され、楽曲データに特定の歌手（歌手Ｙ）の音声データのみが残ったデータが生成される。これに音声入力手段３から入力した音を加えて音楽出力手段４から出力させることが出来る。この構成では複数人の音声が記録された音楽でも特定の人物の音声のみを残すことが出来、コーラス等から一緒に歌いたい人物（歌手Ｙ）の音声のみを残してカラオケを楽しむことが可能となる。
【００７５】
なお、この実施の形態３が実施の形態１と異なるのは、ＦＳ変換を同時に複数行うようにした点のみであるので、より詳細な構成およびＣＤプレーヤの全体構成については説明を省略する。
【００７６】
このように、本実施の形態３によれば、音楽データ、およびこの音楽データより低いサンプリング周波数で収録された複数の音声データ、を倍速で読み出し高速に信号処理を行い、再生された音楽データから再生された複数の音声データを減算する処理を行って楽曲データを得て、これにマイクからの音声データを加算する処理を、通常の音声トラックの音声データの読み出しおよびその信号処理と同じ時間内で終了するように実行することで、音楽データに複数名の音声データが含まれる場合であっても全ての音声データを消去した楽曲データを得ることができ、カラオケを楽しむことができる。
【００７７】
また、実施の形態３では、複数名の音声が記録されている音楽データの一部の音声のみを消すことが出来る。即ち、歌手が複数名の場合に特定の歌手以外の音声を取り除くことができ、楽曲と希望する歌手の音声をバックにカラオケを行うこともできる。
【００７８】
なお、記録媒体２は、ＣＤやＤＶＤなどの光ディスクやＨＤＤなどの磁気ディスク、ＳＤやＵＳＢメモリのような半導体メモリなどで構成する事が出来るが、これ以外の記憶媒体でも同様に実現する事が出来る。
【００７９】
また、音声データ２３ａ，２３ｂ，・・・は音楽データ２０よりも低ビットレートであれば、互いに異なるビットレートでもよい。
【００８０】
さらに、ＦＳ変換手段を複数設ける代わりに、図９に示すように周波数時間軸変換手段を複数設けるようにしてもよく、同様の効果を奏する。
【産業上の利用可能性】
【００８１】
以上のように、本発明にかかる音楽再生装置および記録媒体は、音楽再生装置にカラオケ機能を付加し、通常の音楽の再生と共にカラオケを再生する音楽再生装置を実現する場合に、記録媒体に多数の曲を記録，保存することが出来るものとして有用である。
【図面の簡単な説明】
【００８２】
【図１】本発明の実施の形態１にかかる音楽再生装置の構成を示すブロック図
【図２】本発明の実施の形態１にかかる音楽再生装置のより具体的な構成を示すブロック図
【図３】本発明の実施の形態１にかかる音楽再生装置の一例としてのＣＤプレーヤの全体構成を示すブロック図
【図４】本発明の実施の形態１にかかる音楽再生装置の一例としてのＣＤプレーヤの操作部の表示の一例を示す図
【図５】本発明の実施の形態１にかかる音楽再生装置の一例としてのＣＤプレーヤの処理の時間的経過の一例を示す図
【図６】本発明の実施の形態１にかかる音楽再生装置において使用する記録媒体のトラック容量の一例を従来の音楽再生装置において使用する記録媒体のトラック容量と対比して示す図
【図７】本発明の実施の形態２にかかる音楽再生装置の構成を示すブロック図
【図８】本発明の実施の形態３にかかる音楽再生装置の構成を示すブロック図
【図９】本発明の実施の形態３にかかる音楽再生装置の変形例の構成を示すブロック図
【図１０】従来例の音楽再生装置の構成を示すブロック図
【符号の説明】
【００８３】
２  記録媒体
３  音声入力手段
４  音楽出力手段
１０  再生手段
１１，１３ａ，１３ｂ  ＦＳ変換手段
１２，１４ａ，１４ｂ  周波数時間軸変換手段
１５  減算器
１６  加算器
２０  音楽データ
２１  低サンプリングレートの音声データ
２２  周波数軸の音声データ
２３ａ  第１の低サンプリングレートの音声データ
２３ｂ  第２の低サンプリングレートの音声データ
２４ａ  第１の周波数軸の音声データ
２４ｂ  第２の周波数軸の音声データ
２５  楽曲データ
３１ａ，３１ｂ，３１ｃ  選択手段
３２  スイッチ手段
２００，３０１  ＣＤ
２００ａ  音楽データ
２００ｂ  音声データ
２０１  ピックアップ
２０２  ＦＥ処理部
２０３  メモリＩＦ
２０４，３１０  ＤＲＡＭ
２０４ａ  音楽データ記憶領域
２０４ｂ  音声データ記憶領域
２０５，３１８  マイク
２０６，３１９  Ａ／Ｄ変換手段
２０７  信号処理部
２０８，３２３  Ｄ／Ａ変換手段
２０９  スピーカ
３０２  スピンドルモータ
３０３  光ピックアップ
３０４  ＲＦアンプ
３０５  トラバースモータ
３０８  サーボ回路
３０９  モータドライバ
３１１  メモリコントローラ
３１１ａ  読出制御回路
３１１ｂ  書込制御回路
３１１ｃ  制御回路
３１４  操作パネル
３１５  システムコントローラ
３１６  デジタル信号処理回路
３１７  ＣＬＶ回路
【図１】
2008203389.tif 000003
【図２】
2008203389.tif 000004
【図３】
2008203389.tif 000005
【図４】
2008203389.tif 000006
【図５】
2008203389.tif 000007
【図６】
2008203389.tif 000008
【図７】
2008203389.tif 000009
【図８】
2008203389.tif 000010
【図９】
2008203389.tif 000011
【図１０】
2008203389.tif 000012